(57)【要約】      （修正有）【課題】表示されるコンテンツデータを見るユーザーの疲労を軽減しつつ、画像領域における色変化の違和感を抑制することができる信号処理装置を提供する。【解決手段】信号処理装置１０は、算出部１０１と、設定部１０２と、変換部１０３と、を備える。算出部１０１は、コンテンツデータの表示領域における主として文字が表示される第１の領域の表示領域に対する比率と、画像など主として文字以外が表示される第２の領域の表示領域に対する比率を設定する。設定部１０２は、算出部１０１が設定した比率に基づいて、目標色温度を設定する。変換部１０３は、コンテンツデータにおける現在の色温度を、設定部１０２が設定した目標色温度まで変化させる。【選択図】図１
2016096539.tif 000002
【特許請求の範囲】
【請求項１】
コンテンツデータの表示領域を複数の領域に分割し、前記表示領域の主として文字が表示される第１の領域の前記表示領域に対する第１の比率と、前記表示領域の主として文字以外が表示される第２の領域の前記表示領域に対する第２の比率を各々算出する算出部と、前記第１の比率と前記第２の比率に基づいて、前記コンテンツデータの目標色温度を設定する設定部と、前記コンテンツデータの色温度を前記目標色温度まで変化させる変換部と、を備える、信号処理装置。
【請求項２】
前記設定部は、前記第１の比率が大きくなるほどより低い色温度を目標色温度に設定する、請求項１に記載の信号処理装置。
【請求項３】
前記算出部は、前記第１の領域の中で、背景色の彩度が所定の値以上である領域は、前記第１の領域としない、請求項１に記載の信号処理装置。
【請求項４】
前記設定部は、次に表示するコンテンツデータの目標色温度を算出すると、現在表示中のコンテンツデータの目標色温度と前記次に表示するコンテンツデータの目標色温度との間の色温度を現在表示中のコンテンツデータの目標色温度として設定する、請求項１に記載の信号処理装置。
【請求項５】
周辺環境光の色温度を検出する検出部を備え、
前記設定部は前記検出部が検出した色温度と、前記算出部が算出した前記第１の比率および前記第２の比率に応じて設定した色温度との間の色温度を目標色温度として設定する、請求項１に記載の信号処理装置。
【請求項６】
コンテンツデータの表示領域を複数の領域に分割し、前記表示領域の主として文字が表示される第１の領域の前記表示領域に対する第１の比率と、前記表示領域の主として文字以外が表示される第２の領域の前記表示領域に対する第２の比率を各々算出する算出部と、前記コンテンツデータにおける現在の色温度を、目標色温度に変化させる変換部と、を備え、前記目標色温度は前記第１の領域と、前記第２の領域との比率に依存する色温度である信号処理装置。
【請求項７】
コンテンツデータの表示領域を複数の領域に分割し、前記表示領域の主として文字が表示される第１の領域の前記表示領域に対する第１の比率と、前記表示領域の主として文字以外が表示される第２の領域の前記表示領域に対する第２の比率を各々算出し、前記第１の比率と前記第２の比率に基づいて、前記コンテンツデータの目標色温度を設定し、前記コンテンツデータにおける現在の色温度を、最終的に前記設定した目標色温度まで変化させる、信号処理方法。
【発明の詳細な説明】
【技術分野】
【０００１】
本開示は、入力されるコンテンツデータに対して信号処理を施す信号処理装置、および信号処理方法に関する。
【背景技術】
【０００２】
特許文献１は、表示装置、および表示制御方法、並びにプログラムを開示する。この表示装置は、画像信号を出力する表示部と、表示部に出力する画像信号の制御を実行する信号処理部を有し、信号処理部は、表示部の観察開始時間からの経過時間に応じて、画像信号の色温度を徐々に低下させる制御を実行する。色温度を低下させることにより、青色成分を減少させることが可能となり、ユーザーの疲労を軽減させることができる。
【先行技術文献】
【特許文献】
【０００３】
【特許文献１】特開２０１３−２５７４５７号公報
【発明の概要】
【発明が解決しようとする課題】
【０００４】
本開示は、表示されるコンテンツデータを見るユーザーの疲労を軽減しつつ、画像領域における色変化の違和感を抑制することができる信号処理装置を提供する。
【課題を解決するための手段】
【０００５】
本開示における信号処理装置は、コンテンツデータの表示領域を複数の領域に分割し、表示領域の主として文字が表示される第１の領域の表示領域に対する第１の比率と、表示領域の主として文字以外が表示される第２の領域の表示領域に対する第２の比率を各々算出する算出部を有する。また、第１の比率と第２の比率に基づいて、コンテンツデータの目標色温度を設定する設定部と、コンテンツデータの色温度を目標色温度まで変化させる変換部と、を備える。
【発明の効果】
【０００６】
本開示における信号処理装置は、表示されるコンテンツデータを見るユーザーの疲労を軽減しつつ、画像領域における色変化の違和感を抑制するのに有効である。
【図面の簡単な説明】
【０００７】
【図１】第１の実施の形態における表示装置の一構成例を示すブロック図
【図２】第１の実施の形態における第１の領域の濃度ヒストグラムの一例を示す図
【図３】第１の実施の形態における第２の領域の濃度ヒストグラムの一例を示す図
【図４】第１の実施の形態における算出部の動作の一例を説明するためのフローチャート
【図５】第１の実施の形態における設定部の動作の一例を説明するためのフローチャート
【図６】第１の実施の形態における色温度設定の一例を説明する図
【図７】第１の実施の形態における変換部の色温度変換方法の一例の説明図
【図８】第１の実施の形態における変換部の色温度変換方法の他の例の説明図
【図９】第１の実施の形態における色温度変化を示す図
【図１０】第２の実施の形態における表示装置の一構成例を示すブロック図
【図１１】第２の実施の形態における色温度設定の一例を示す図
【図１２】第３の実施の形態における表示装置の一構成例を示すブロック図
【図１３】第３の実施の形態における色温度設定の一例を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（第１の実施の形態）
以下、図１〜図９を用いて、第１の実施の形態を説明する。
【００１１】
［１−１．構成］
図１は、第１の実施の形態における表示装置１の構成を示すブロック図である。図１に示すように、表示装置１は、取得部１００、信号処理装置１０、表示制御部１０４、表示部１０５を備えている。また、信号処理装置１０は、算出部１０１、設定部１０２、変換部１０３を備えている。
【００１２】
取得部１００は、コンテンツデータの入力部である。ここで、コンテンツデータは、映像、画像、文字あるいはそれらの組み合わせによって表現されるデジタル情報である。例えば、ＭＰＥＧ、ＪＰＥＧ、ＰＤＦ、ＢＭＰなど、標準規格に準拠したファイルフォーマットのデータである。
【００１３】
算出部１０１は、取得部１００より入力されたコンテンツデータの表示領域を複数の表示領域に分割し、表示領域における、主として文字が表示される第１の領域の表示領域に対する第１の比率と、画像など主として文字以外が表示される第２の領域の表示領域に対する第２の比率を各々算出する。ここで、主として文字が表示されるとは、表示領域の１／２以上の領域に文字が表示されることを示す。同様に、主として文字以外が表示されるとは、表示領域の１／２以上の領域に文字以外が表示されることを示す。なお、第１の領域、第２の領域を判断するための、文字または文字以外が表示領域に示す割合は１／２に限定しない。
【００１４】
設定部１０２は、算出部１０１が算出した第１の比率と第２の比率に応じて、コンテンツデータを表示するときの目標色温度を設定する。なお、色温度は白色を含むグレイ階調を表示したときの色合いを示すものであり、色温度が低い場合は赤寄りの表示になり、色温度が高い場合には青寄りの表示になる。本開示における色温度とは、色度図上で表わされる黒体放射軌跡上の色のみでなく、いわゆる相関色温度とされる黒体放射軌跡近傍を含む座標の色を示す。
【００１５】
変換部１０３は、取得部１００が取得したコンテンツデータを表示するときの色温度を、設定部１０２が設定した目標色温度に変化させる。色温度の変化は、設定された色温度に即時に変化させることもできるが、時間経過とともに徐々に目標色温度に変化させる、としてもよい。
【００１６】
表示制御部１０４は、変換部１０３で色温度を変化させたコンテンツデータを後段の表示部１０５に表示するための処理を施す。
【００１７】
表示部１０５は、ディスプレイであり、例えば、液晶ディスプレイ、有機ＥＬディスプレイ、またはプラズマディスプレイなどで構成される。
【００１８】
［１−２．動作］
以上のように構成された信号処理装置について、その動作を以下説明する。
【００１９】
［１−２−１．算出部の動作］
図２は、第１の実施の形態における第１の領域の濃度ヒストグラムの一例を示す図である。図３は、第１の実施の形態における第２の領域の濃度ヒストグラムの一例を示す図である。図２、図３において、横軸は濃度値、縦軸は各濃度値の度数を示す。
【００２０】
図２に示すように、主として文字が表示されている第１の領域の濃度ヒストグラムは、文字部分と背景部分の濃度値が各々集まり、大きく二つの山に分かれている。また、図３に示すように、第２の領域の一例である画像が表示されている領域は、濃度値が全体的にばらついている。
【００２１】
算出部１０１は、図２に示す第１の領域の濃度ヒストグラムの特徴と、図３に示す第２の領域の濃度ヒストグラムの特徴を用いて、判別対象の領域がどちらの領域に該当するかを判別する。
【００２２】
ここで、濃度値は、ＲＧＢ信号の信号レベルを合算して、平均化したものでもよいし、ＲＧＢ信号から得られる輝度値としてもよい。輝度値は、例えば、次の（数１）で表現される。
【００２３】
（数１）
輝度値＝０．３Ｒ＋０．６Ｇ＋０．１Ｂ
ここで、（数１）において、Ｒ、Ｇ、Ｂは、それぞれ赤信号、緑信号、青信号の信号レベルを示す。
【００２４】
また、算出部１０１は、濃度ヒストグラムによる領域の判別に加えて、領域内のエッジ量による判別を加えてもよい。算出部１０１は、第１の領域では大きなエッジ変化が小さなエッジ変化より多く存在し、第２の領域では小さなエッジ変化が多数存在することを用いて、領域の判別を行う。
【００２５】
算出部１０１では、上記の例に上げた領域の判別方法などにより得られた第１の領域数と第２の領域数から、表示領域における第１の領域と第２の領域の比率を算出する。
【００２６】
なお、比率の算出においては、第１の領域と同じ背景色の領域で文字が存在しない余白などは、第２の領域に含むとしてもよいし、第１と第２のいずれの領域にも含まないとしてもよい。
【００２７】
また、算出部１０１は、第１の領域の背景の彩度が所定の値以上である領域は、第１の領域としないように判別してもよい。
【００２８】
図４は、第１の実施の形態における算出部１０１の動作の一例を説明するためのフローチャートである。図４は、第１の領域の背景色を考慮した場合の処理フローの一例である。図４は、領域判別に濃度ヒストグラムを用いた場合の一例である。
【００２９】
算出部１０１は、コンテンツデータの表示領域を複数の所定の単位の領域に分割し、領域毎に第１の領域か第２の領域かの判別を行う。
【００３０】
（ステップＳ４０１）算出部１０１は、対象領域を読み出し、領域の特徴量（例えば、濃度ヒストグラム）を算出する。
【００３１】
（ステップＳ４０２）算出部１０１は、ステップＳ４０１で算出した特徴量より、領域が第１の領域であるかどうかを判断する。算出部１０１は、領域が第１の領域ではないと判断した場合はステップＳ４０３に進み、第１の領域であると判断した場合はステップＳ４０４に進む。
【００３２】
（ステップＳ４０３）算出部１０１は、領域を第２の領域としてカウントして、ステップＳ４０６に進む。
【００３３】
（ステップＳ４０４）算出部１０１は、領域内の背景の彩度が所定の値以上であるかどうかを判別する。算出部１０１は、背景の彩度が所定の値以上であると判断した場合は、領域を第１の領域としてカウントせず、ステップＳ４０６に進む。算出部１０１は、背景の彩度が所定の値より小さい場合は、ステップＳ４０５に進む。
【００３４】
（ステップＳ４０５）算出部１０１は、領域を第１の領域としてカウントし、ステップＳ４０６に進む。
【００３５】
（ステップＳ４０６）算出部１０１は、全領域の判別が終了しているかどうかを判断し、終了している場合はステップＳ４０７へ進む。算出部１０１は、全領域の判別が終了していない場合は、ステップＳ４０１に戻る。
【００３６】
（ステップＳ４０７）算出部１０１は、第１の領域のカウント数と第２の領域のカウント数より、第１の比率と第２の比率を算出する。
【００３７】
［１−２−２．設定部の動作］
図５は、設定部１０２の動作の一例を説明するためのフローチャートである。
【００３８】
（ステップＳ５０１）設定部１０２は、第１の比率が、第２の比率以上の場合はステップＳ５０２に進み、第２の比率が大きい場合はステップＳ５０３に進む。
【００３９】
（ステップＳ５０２）設定部１０２は、第１の領域の色温度を３０００Ｋ〜５０００Ｋに設定する。例えば、第１の比率が１００％であれば色温度を３０００Ｋに設定する。また、第１の比率が５０％程度であれば、色温度を５０００Ｋに設定する。また、第１の比率が５０％〜１００％の間においては、比率に応じて３０００Ｋから５０００Ｋの色温度を設定する。
【００４０】
（ステップＳ５０３）設定部１０２は、第２の領域の色温度を５０００Ｋ〜６５００Ｋに設定する。例えば、第２の比率が１００％であれば色温度を６５００Ｋに設定する。また、第２の比率が５０％程度であれば、色温度を５０００Ｋに設定する。また、第２の比率が５０％〜１００％の間においては、比率に応じて５０００Ｋから６５００Ｋの色温度を設定する。
【００４１】
図６は、色温度設定の一例を説明する図である。
【００４２】
図６の（ａ）は、第１の比率が５０％から１００％の間であるため、色温度を３０００Ｋ〜５０００Ｋの間に設定する。同図の場合、３０００Ｋに近い値に設定されている。図６の（ｂ）は、第１の比率が５０％程度であるため、色温度を５０００Ｋに設定している。図６の（ｃ）は、第２の比率が５０％〜１００％の間であるので、色温度を５０００Ｋ〜６５００Ｋの間に設定する。同図の場合、６５００Ｋに近い値に設定されている。
【００４３】
図６に示すように、表示領域における第１の比率が大きいほど色温度が低く設定される。
【００４４】
［１−２−３．変換部の動作］
図７は、第１の実施の形態における変換部１０３の色温度変換方法の一例を示す図である。図７は、ＲＧＢ信号を同レベルにすると、表示される色温度が５０００Ｋになる例である。色温度を変化させる場合は、ＲＧＢ信号の各々に所定のゲインを乗じて、ＲＧＢ信号の比率を変える処理を施す。色温度を上げる場合はＢ信号のレベルを上げるとともに、Ｒ信号のレベルを下げる方向に変化させる。また、色温度を下げる場合は、Ｂ信号のレベルを下げるとともに、Ｒ信号のレベルを上げる方向に変化させる。
【００４５】
図８は、第１の実施の形態における変換部１０３の色温度変換方法の他の例を示す図である。図８は、ＲＧＢ信号を同レベルにすると、表示される色温度が９０００Ｋになる例である。色温度を下げる場合は、ＲＧＢ信号の各々に所定のゲインを乗じて、Ｂ信号とＧ信号のレベルを下げる方向に変化させる。
【００４６】
図９は、第１の実施の形態における色温度変化を示す図である。図９に示すように、時間経過により、変換部１０３が色温度変化を徐々に施した場合の例を示す図である。図９において、Ａは第１の比率が大きい場合の色温度である。Ｃは第２の比率が大きい場合の色温度である。Ｂは第１の比率と第２の比率が同程度の場合の色温度である。目標色温度は、第１の比率が大きい場合（図９の色温度Ａ）は低めの色温度となり、第２の比率が大きい場合（図９の色温度Ｃ）は、高めの色温度となっている。図９において、時間経過により、色温度Ａ〜Ｃは、目標色温度に向けて、緩やかなカーブを描き、色温度を徐々に変化させているのがわかる。このように、色温度を徐々に変えることにより、表示部１０５を見ているユーザーが色に順応していく順応性を利用して、ユーザーが違和感を覚えないように変化させることができる。
【００４７】
［１−３．効果等］
以上のように、本実施の形態において、算出部１０１は、コンテンツデータの表示領域を複数の領域に分割し、各領域を主として文字が表示される第１の領域と、画像など主として文字以外が表示される第２の領域に判別し、第１の領域の表示領域に対する第１の比率と第２の領域の表示領域に対する第２の比率を設定する。設定部１０２は、算出部１０１が算出した第１の比率および第２の比率に応じて、コンテンツデータを表示するときの目標色温度を設定する。変換部１０３は、設定部１０２が設定した目標色温度に、コンテンツデータを表示するときの色温度を変化させる。
【００４８】
これにより、コンテンツデータにおいて、第１の比率が大きい場合は色温度設定の下げ幅を大きく設定し、第２の比率が大きい場合は色温度設定の下げ幅を小さくする。そのため、第１の領域が大きい場合はユーザーの疲労を増加させるとされる青色発光成分を大きく低減させることができる。また、第２の領域が大きい場合は青色発光成分を低減させるとともに、画像本来の色合いにおける違和感を抑制するように表示することができる。ここで、青色発光成分とは、例えばブルーライトと呼ばれる、約４００ｎｍから５００ｎｍの波長の光成分のことである。
【００４９】
また、本実施の形態において、算出部１０１は、第１の領域の背景の彩度が所定の値以上の場合は、その領域を第１の領域としないよう判別する。
【００５０】
これにより、濃度値ヒストグラムなどにより第１の領域と判断されても、背景の彩度が所定の値以上である場合には、第１の領域と判別せず、色温度の下げ幅を小さくする。そのため、青色発光成分を低減させるとともに、文字と背景色の色合い関係を大きく崩すことのない表示を得ることができる。
【００５１】
（第２の実施の形態）
以下、図１０〜図１１を用いて、第２の実施の形態を説明する。
【００５２】
［２−１．構成］
図１０は、第２の実施の形態における表示装置２の一構成例を示すブロック図である。図１０に示すように、表示装置２は、取得部１００、信号処理装置２０、表示制御部１０４、表示部１０５を備える。信号処理装置２０は、算出部１０１、設定部２０２、変換部２０３を備える。ここで、第１の実施の形態と同様の動作を行う構成要素に関しては、同じ符号を付与し、説明を省略する。本実施の形態では、主に設定部２０２、変換部２０３の動作について説明する。
【００５３】
設定部２０２は、算出部１０１が算出した第１の比率および第２の比率に応じて、表示部１０５がコンテンツデータを表示するときの目標色温度を設定する。設定部２０２は、次の目標色温度を算出すると、現在の目標色温度と次の目標色温度との間の色温度を目標色温度として設定する。
【００５４】
［２−２．動作］
以上のように構成された信号処理装置について、その動作を以下説明する。
【００５５】
図１１は、第２の実施の形態における、色温度設定方法の一例を示す図である。
【００５６】
図１１において、横軸は時間であり、コンテンツデータは、時刻０からコンテンツデータＡ、時刻ｔ２からコンテンツデータＢ、時刻ｔ４からコンテンツデータＣが順番に表示部１０５に表示される。図１１に示すように、設定部２０２は第１の実施の形態の方法で、コンテンツデータＡに対して６５００Ｋ、コンテンツデータＢに対して４０００Ｋ、コンテンツデータＣに対して５０００Ｋの目標色温度を算出する。
【００５７】
まず、設定部２０２はコンテンツデータＡの目標色温度６５００Ｋを設定する。次に、設定部２０２は、時刻ｔ２に至るまでの時刻ｔ１でコンテンツデータＢの目標色温度を算出すると、目標色温度をコンテンツデータＡの目標色温度６５００ＫとコンテンツデータＢの目標色温度４０００Ｋの間の色温度Ｃ１に設定する。次に、設定部２０２は、時刻ｔ２からコンテンツデータＢが表示されると、目標色温度を４０００Ｋに設定する。さらに、設定部２０２は、時刻ｔ４に至るまでの時刻ｔ３でコンテンツデータＣの目標色温度を算出すると、目標色温度をコンテンツデータＢの目標色温度４０００ＫとコンテンツデータＣの目標色温度５０００Ｋの間の色温度Ｃ２に設定する。設定部２０２は、時刻ｔ４からコンテンツデータＣが表示されると、目標色温度を５０００Ｋに設定する。設定部２０２は、コンテンツデータＣの表示が終わるまでの時刻ｔ５で、次のコンテンツ（図示せず）の目標色温度を算出すると、目標色温度をコンテンツデータＣの目標色温度５０００Ｋと次のコンテンツの目標色温度との間の色温度Ｃ３に設定する。
【００５８】
図１１に示すように、変換部２０３は、表示開始時は、コンテンツデータＡの色温度を、目標色温度６５００Ｋに近づくよう変化させる。次に、変換部２０３は、時刻ｔ１よりコンテンツデータＡの色温度を目標色温度Ｃ１に近づけるよう変化させる。次に、変換部２０３は、時刻ｔ２より、コンテンツデータＢの色温度を、目標色温度４０００Ｋに近づくよう変化させる。次に、変換部２０３は、時刻ｔ３よりコンテンツデータＢの色温度を、目標色温度Ｃ２に近づけるよう変化させる。さらに、変換部２０３は、時刻ｔ４よりコンテンツデータＣの色温度を目標色温度５０００Ｋに近づけるよう変化させる。変換部２０３は、時刻ｔ５よりコンテンツデータＣの色温度を、目標色温度Ｃ３に近づけるよう変化させる。
【００５９】
［２−３．効果等］
以上のように、本実施の形態において、設定部２０２は、算出部２０１が算出した第１の比率および第２の比率に応じて、目標色温度を設定する。設定部２０２は、次に表示するコンテンツデータの目標色温度を算出すると、現在表示中のコンテンツデータの目標色温度と次に表示するコンテンツデータの目標色温度の間の色温度を現在表示中のコンテンツデータの目標色温度として設定する。変換部２０３は、設定部２０２が設定した目標色温度に、表示コンテンツの色温度が近づくよう変化させる。
【００６０】
これにより、現在表示中のコンテンツデータに設定されている目標色温度と、次に表示されるコンテンツデータに設定される目標色温度との差が大きい場合であっても、コンテンツデータの表示が切り替わる前に次の色温度への変化を開始させることができ、色温度の急激な変化を回避する。そのため、青色発光成分を低減させるとともに、色温度が大きく変化する場合に発生する、ユーザーが受ける色合いの違和感を抑制することができる。
【００６１】
（第３の実施の形態）
以下、図１２〜図１３を用いて、第３の実施の形態を説明する。
【００６２】
［３−１．構成］
図１２は、第３の実施の形態における表示装置３の一構成例を示すブロック図である。図１２に示すように、表示装置３は、取得部１００、信号処理装置３０、表示制御部１０４、表示部１０５を備える。信号処理装置３０は、算出部１０１、設定部３０２、変換部１０３、検出部３００を備える。ここで、第１の実施の形態と同様の動作を行う構成要素に関しては、同じ符号を付与し、説明を省略する。本実施の形態では、主に設定部３０２、検出部３００の動作について説明する。
【００６３】
検出部３００は、光センサーなどにより、表示装置３を使用する環境における環境光の色温度を検出する。
【００６４】
設定部３０２は、算出部１０１が算出した第１の比率および第２の比率と、検出部３００が検出した環境光の色温度に応じて、コンテンツデータを表示するときの目標色温度を設定する。
【００６５】
変換部１０３は、表示するコンテンツデータの色温度を、設定部３０２が設定した目標色温度に近づくよう変化させる。
【００６６】
［３−２．動作］
以上のように構成された信号処理装置について、その動作を以下説明する。
【００６７】
［３−２−１．設定部の動作］
設定部３０２は、算出部１０１が算出した第１の比率および第２の比率に応じて、コンテンツデータの目標色温度を設定する。このとき、コンテンツデータにおいて第１の領域の第１の比率が大きいほど色温度を低く設定する。さらに、設定部３０２は、算出部１０１が算出した第１の比率および第２の比率に応じて設定した色温度と、検出部３００が検出した環境光の色温度との間に目標色温度を設定する。
【００６８】
図１３は、本実施の形態における色温度設定の一例を示す図である。
【００６９】
図１３において、横軸は時間、縦軸は色温度を示す。図１３において、Ｋ１は設定部１０１が算出した第１の比率および第２の比率に応じて設定部３０２が設定した色温度である。また、Ｋ２は、検出部３００が検出した周辺環境の色温度である。Ｋ３は、色温度Ｋ１と、色温度Ｋ２との間に、設定された目標色温度である。
【００７０】
図１３に示すように、色温度Ｋ３は色温度Ｋ１と色温度Ｋ２の間の色温度に設定されている。
【００７１】
［３−３．効果等］
以上のように、本実施の形態において、設定部３０２は、算出部１０１が算出した第１の比率および第２の比率に応じて設定した色温度と、検出部３００が検出した環境光の色温度との間に目標色温度を設定する。変換部１０３は、目標色温度に表示されるコンテンツデータの色温度を変換する。
【００７２】
これにより、コンテンツデータの第１の領域の表示領域に対する第１の比率および第２の領域の表示領域に対する第２の比率により設定された色温度と、信号処理装置を使用する環境光の色温度との間に大きな差がある場合でも、目標色温度を両者の間の色温度に設定することができる。そのため、表示部１０５に設定された色温度と、周辺環境光の色温度の差によって生じるユーザーの違和感を抑制することができる。
【００７３】
以上のように、本開示における技術の例示として、実施の形態を説明した。そのために、添付図面および詳細な説明を提供した。
【００７４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７５】
また、上述の実施の形態は、本開示における技術を例示するためのものであるから、特許請求の範囲またはその均等の範囲において種々の変更、置き換え、付加、省略などを行うことができる。
【産業上の利用可能性】
【００７６】
本開示は、表示部を伴う信号処理装置に適用可能である。具体的には、ＰＣ用ディスプレイ、機内向けディスプレイ、タブレット端末、ヘッドマウントディスプレイ、スマートフォンなどに、本開示は適用可能である。
【符号の説明】
【００７７】
１，２，３    表示装置
１０，２０，３０    信号処理装置
１００    取得部
１０１    算出部
１０２，２０２，３０２    設定部
１０３，２０３    変換部
１０４    表示制御部
１０５    表示部
３００    検出部
【図１】
2016096539.tif 000003
【図２】
2016096539.tif 000004
【図３】
2016096539.tif 000005
【図４】
2016096539.tif 000006
【図５】
2016096539.tif 000007
【図６】
2016096539.tif 000008
【図７】
2016096539.tif 000009
【図８】
2016096539.tif 000010
【図９】
2016096539.tif 000011
【図１０】
2016096539.tif 000012
【図１１】
2016096539.tif 000013
【図１２】
2016096539.tif 000014
【図１３】
2016096539.tif 000015